(57)【要約】      （修正有）【課題】使い勝手の良い端末切替技術を提供する。【解決手段】情報処理端末であって、内蔵の記録媒体、または、外部の記録媒体にアクセス可能なアクセス部と、前記情報処理端末とは異なる他の装置と通信する通信部と、前記記録媒体にアクセス可能である場合に、前記他の装置からの接続要求信号を受信できるように前記通信部を制御し、前記記録媒体にアクセス不能である場合に、前記他の装置からの接続要求信号を受信しないように前記通信部を制御する制御部と、を備える。【選択図】図１
2014107704.tif 000002
【特許請求の範囲】
【請求項１】
情報処理端末であって、
内蔵の記録媒体、または、外部の記録媒体にアクセス可能なアクセス部と、
前記情報処理端末とは異なる他の装置と通信する通信部と、
前記記録媒体にアクセス可能である場合に、前記他の装置からの接続要求信号を受信できるように前記通信部を制御し、前記記録媒体にアクセス不能である場合に、前記他の装置からの接続要求信号を受信しないように前記通信部を制御する制御部と、を備えることを特徴とする情報処理端末。
【請求項２】
請求項１に記載の情報処理端末であって、
前記記録媒体は通信機器リストを有し、
前記制御部は、
前記情報処理端末と接続している第１の装置の情報を前記通信機器リストに登録することを特徴とする情報処理端末。
【請求項３】
請求項２に記載の情報処理端末であって、
前記制御部は、
第２の装置から前記第１の装置に対して通信ペア登録要求信号を送信するために、前記第１の装置の情報を前記通信機器リストに登録することを特徴とする情報処理端末。
【請求項４】
請求項１に記載の情報処理端末であって、
前記制御部は、
第２の装置から前記接続要求信号を受信した場合に、前記情報処理端末と接続している第１の装置の情報を前記第２の装置に送信するように前記通信部を制御することを特徴とする情報処理端末。
【請求項５】
請求項１に記載の情報処理端末であって、
前記制御部は、
第２の装置から前記接続要求信号を受信した場合に、前記第２の装置の情報を、前記情報処理端末と接続している第１の装置に送信するように前記通信部を制御することを特徴とする情報処理端末。
【請求項６】
請求項２乃至請求項５のいずれかに記載の情報処理端末であって、
前記制御部は、
前記記録媒体にアクセス不能である場合に、前記他の装置に接続要求信号を送信するように前記通信部を制御し、前記記録媒体にアクセス可能になると、該接続要求信号の送信を中断するように前記通信部を制御することを特徴とする情報処理端末。
【請求項７】
請求項２乃至請求項６のいずれかに記載の情報処理端末であって、
前記制御部は、
前記接続要求信号を受信した場合に、前記情報処理端末と接続している装置との通信を切断するように前記通信部を制御することを特徴とする情報処理端末。
【請求項８】
請求項２乃至請求項７のいずれかに記載の情報処理端末であって、
前記記録媒体を前記情報処理端末から抜き取ることを促す情報を出力する出力部を備え、
前記制御部は、
前記記録媒体が前記情報処理端末から抜き取られたことを検出すると、前記情報処理端末と接続している装置との通信を切断するように前記通信部を制御することを特徴とする情報処理端末。
【請求項９】
請求項２乃至請求項５のいずれかに記載の情報処理端末であって、
前記制御部は、
前記記録媒体が前記情報処理端末から抜き取られたことを検出した場合に、第２の装置に抜き取り完了通知を送信するように前記通信部を制御することを特徴とする情報処理端末。
【請求項１０】
請求項９に記載の情報処理端末であって、
前記制御部は、
前記記録媒体が前記情報処理端末から抜き取られたことを検出した場合に、前記第１の装置との通信を切断するために、第２の装置に抜き取り完了通知を送信するように前記通信部を制御することを特徴とする情報処理端末。
【請求項１１】
情報処理端末に、
内蔵の記録媒体、または、外部の記録媒体にアクセス可能なステップと、
前記情報処理端末とは異なる他の装置と通信するステップと、
前記記録媒体にアクセス可能である場合に、前記他の装置からの接続要求信号を受信できるように制御し、前記記録媒体にアクセス不能である場合に、前記他の装置からの接続要求信号を受信しないように制御するステップと、
前記記録媒体にアクセス可能である場合に、前記情報処理端末と接続している第１の装置に対して、第２の装置から通信ペア登録要求信号を送信するために、前記第１の装置の情報を前記記録媒体の通信機器リストに登録するステップと、を実行させるためのプログラム。
【請求項１２】
情報処理端末における情報処理方法であって、
内蔵の記録媒体、または、外部の記録媒体にアクセス可能なステップと、
前記情報処理端末とは異なる他の装置と通信するステップと、
前記記録媒体にアクセス可能である場合に、前記他の装置からの接続要求信号を受信できるように制御し、前記記録媒体にアクセス不能である場合に、前記他の装置からの接続要求信号を受信しないように制御するステップと、
前記記録媒体にアクセス可能である場合に、前記情報処理端末と接続している第１の装置に対して、第２の装置から通信ペア登録要求信号を送信するために、前記第１の装置の情報を前記記録媒体の通信機器リストに登録するステップと、を有することを特徴とする情報処理方法。
【発明の詳細な説明】
【技術分野】
【０００１】
本発明は、情報処理端末、プログラム、および、情報処理方法に関する。
【背景技術】
【０００２】
本技術分野の背景技術として、特開２００５-１０９７６６号公報（特許文献１）がある。この公報には、「本人認証用データが蓄積されたＩＣタグを備える携帯電話と、ＩＣタグリーダ／ライタと、これに接続され個人情報が蓄積された管理用コンピュータとからなるように構成した。したがって、本人認証にＩＣタグを用いることができ、短時間で多数の本人認証が可能である。また、本人認証には携帯電話の通信機能を利用しないので、携帯電話の所有者に本人認証に関する費用負担が生じない。」と記載されている（要約参照）。
【先行技術文献】
【特許文献】
【０００３】
【特許文献１】特開２００５-１０９７６６号公報
【発明の概要】
【発明が解決しようとする課題】
【０００４】
特許文献１の技術では、ある情報処理端末が有する個人認証機能に基づいて、別の情報処理端末を利用するときの処理等が考慮されていない。
そこで、本発明は、使い勝手の良い端末切替技術を提供する。
【課題を解決するための手段】
【０００５】
上記の課題を解決するために、例えば特許請求の範囲に記載の構成を採用する。
本願は上記課題を解決する手段を複数含んでいるが、その一例を挙げるならば、情報処理端末であって、内蔵の記録媒体、または、外部の記録媒体にアクセス可能なアクセス部と、前記情報処理端末とは異なる他の装置と通信する通信部と、前記記録媒体にアクセス可能である場合に、前記他の装置からの接続要求信号を受信できるように前記通信部を制御し、前記記録媒体にアクセス不能である場合に、前記他の装置からの接続要求信号を受信しないように前記通信部を制御する制御部と、を備えることを特徴とする。
【発明の効果】
【０００６】
本発明によれば、使い勝手の良い端末切替技術を提供することができる。
【０００７】
上記した以外の課題、構成および効果は以下に示す実施形態の説明により明らかにされる。
【図面の簡単な説明】
【０００８】
【図１】情報処理端末の構成例を示す図である。
【図２】情報処理端末に記録媒体を装着する、あるいは、取り外す場合の概念図である。
【図３】情報処理端末に記録媒体が装着された、あるいは、取り外された場合の処理フローについての一例を説明した図である。
【図４】情報処理端末に記録媒体が装着された、あるいは、取り外された場合の処理フローについての一例を説明した図である。
【図５】３台の情報処理端末の間で、個人認証を行う情報処理端末を切り替える場合の例を示す図である。
【図６】３台の情報処理端末の間で個人認証を行う情報処理端末を切り替える処理シーケンスの一例を示した図である。
【図７】情報処理端末の構成例を示す図である。
【図８】３台の情報処理端末の間で個人認証を行う情報処理端末を切り替える場合の処理シーケンスの例を示す図である。
【図９】表示画面の一例を示す図である。
【図１０】表示画面の一例を示す図である。
【図１１】表示画面の一例を示す図である。
【発明を実施するための形態】
【０００９】
以下、本発明を実施するための形態について図面を参照して詳述する。なお、本発明は、図示例に限定されるものではない。
【実施例１】
【００１０】
本実施例では、記録媒体１０へのアクセス可否の状態に基づいて、情報処理端末１が通信サーバとして、接続要求に対する受容可否を切り替えながら認証処理を行う例について説明する。
【００１１】
図１は、情報処理端末１の構成例である。情報処理端末１は、記録媒体１０、通信部１１、認証情報アクセス部１２、制御部１３、入力部１４、出力部１５を備える。
【００１２】
記録媒体１０は、半導体メモリ等で構成される情報格納媒体であり、情報処理端末１から取り外せない固定型のメモリ等でもよいし、情報処理端末１から取り外せるようなリムーバブル型でもよい。この記録媒体１０には、通信機器リスト１０１と認証用情報１０２を格納することができる。
【００１３】
通信機器リスト１０１は、情報処理端末１における後述する通信部１１が通信を許され、信頼できる機器のリストを示す。具体的には、通信対象機器を特定するための物理アドレスや機器名称等を用いる。
【００１４】
認証用情報１０２は、ユーザの本人認証処理に用いられ、正しいＰＩＮ番号やパスワードの入力によってアクセスできるようになる秘密情報である。
【００１５】
通信部１１は、他の通信機器に対して、接続要求やそれに対する受容応答や拒否応答、認証要求やそれに対する処理結果の応答などを送受信するための通信モジュールである。本実施例では、Ｂｌｕｅｔｏｏｔｈ（登録商標）通信に対応した通信部モジュールを例に採って説明するが、通信方式はこれに限定されるものではない。Ｂｌｕｅｔｏｏｔｈ通信の場合は、通信の際の主客が区別されており、接続を要求する側をクライアント、接続要求を受容する側をサーバと呼ぶ。
【００１６】
認証情報アクセス部１２は、記録媒体１０に対してデータの読み書き（通信）を行う機能を持つ。たとえば、記録媒体１０が内蔵型であっても、記録媒体１０がリムーバブル型であって情報処理端末１に装着されている場合であっても、記録媒体１０へのアクセス機能が無効とされている場合には、認証情報アクセス部１２は記録媒体１０にアクセスできない。また、情報処理端末１に装着されていない場合も、同様にアクセスできない。
【００１７】
制御部１３は、前述の通信部１１や認証情報アクセス部１２などを制御するＣＰＵ等で構成される。
【００１８】
入力部１４は、情報処理端末１のユーザからの指示を受け付ける機能を有し、たとえば、キーボードやマウス、タッチパネルなどのタッチセンサー、音声入力を受け付けるマイク等で構成される。
【００１９】
出力部１５は、情報処理端末１のユーザに対してＡＶ情報を表示したり、ＡＶ情報を出力する機能を持ち、例えば画像情報を表示する液晶ディスプレイや音声出力スピーカー、振動を発生させるバイブレータ等で構成される。
【００２０】
図２は情報処理端末１に記録媒体１０を装着する、あるいは、取り外す場合の概念図である。図２(１)は、記録媒体10が情報処理端末１に装着された場合の概念図を示す。一方、図２(２)は、記録媒体10が情報処理端末１から取り外された場合の概念図を示す。
【００２１】
図３は、図２(１)や図２(２)に示したように、情報処理端末１に記録媒体１０が装着された、あるいは、取り外された場合の処理フローについての一例を説明した図である。
【００２２】
まず、起点をＳ２０１とする(Ｓ２０１)。次に、制御部１３は認証情報アクセス部１２が記録媒体１０にアクセスできるかどうか検出する（Ｓ２０２）。このとき、アクセス不能の場合はＳ２０２へ戻る。一方、アクセス可能であることを検出すれば、制御部１３は通信部１１に対して接続要求が来た場合に受容できるように通信の準備処理を行うよう制御する（Ｓ２０３）。すなわち、通信サーバとしての動作を開始する。
【００２３】
このとき、Ｓ２１１の処理を並行で進める。その後、制御部１３は記録媒体１０に格納されている通信機器リスト１０１に記載の通信機器から接続要求が来ていないか検出する（Ｓ２０４）。接続要求が検出されていない場合は、Ｓ２０４へ戻る。一方、接続要求が検出された場合は、制御部１３はその要求を受容して、認証要求が来ていないか検出する（Ｓ２０５）。このとき、接続が確立した機器を記録媒体１０の通信機器リスト１０１に登録してもよい。また、従前の接続を切断することによって、後続の接続を優先してもよい。このＳ２０５において、通信機器リスト１０１に記載の機器から認証要求が来ていない場合はＳ２０６へ戻る。一方、認証要求の受信を検出した場合は、制御部１３は認証情報アクセス部１２を介して、記録媒体１０に格納されている認証用情報１０２との照合を行い（Ｓ２０６）、通信部１１を介して照合結果を返送するように制御する（Ｓ２０７）。その後は、次の認証要求の受信を検出するためにＳ２０５へ戻る。
【００２４】
また、認証情報アクセス部１２が記録媒体１０にアクセス可能であるかを定期的に確認する（Ｓ２１１）。ここで制御部１３がアクセス可能であると検出した場合には、Ｓ２１１に戻る。一方、アクセス不能であると検出した場合には、Ｓ２０５で受容していた接続を切断する（Ｓ２１２）。続いて、Ｓ２０３で準備していた接続要求に対する受容準備処理を解除する（Ｓ２１３）。すなわち、通信サーバとしての動作を解除する。
【００２５】
その後、Ｓ２０２へ戻り、制御部１３は記録媒体１０にアクセス可能になる状態を検出するのを待つ。
【００２６】
以上説明した本実施例によれば、記録媒体１０へのアクセス可否の状態に基づいて、情報処理端末１が通信サーバとして、接続要求に対する受容可否を切り替えながら認証処理を行うことができる。したがって、記録媒体１０の着脱により情報処理端末１が通信サーバとして機能するか否かを制御でき、ユーザの使い勝手を向上できる。
【実施例２】
【００２７】
本実施例では、記録媒体１０へのアクセス可否の状態に基づいて、情報処理端末１が通信サーバとして、接続要求に対する受容可否の切り替えを行い、さらに通信クライアントとして従前の接続の切断、及び、次に通信サーバとなる通信機器への接続要求処理を行い、認証処理を行う例について説明する。なお、実施例１の構成等と重複する構成等については、その説明を省略する。
【００２８】
本実施例の情報処理端末１の構成例は図１に示したものと同一であるので、説明を省略する
図４は、情報処理端末１に記録媒体１０が装着された、あるいは、取り外された場合の情報処理端末１の処理フローについての一例を説明した図である。
【００２９】
制御部１３は認証情報アクセス部１２が記録媒体１０にアクセスできるかどうか検出する（Ｓ２０２）。認証情報アクセス部１２が記録媒体１０にアクセス可能であれば、制御部１３は通信部１１に対して従前の通信を切断するように制御する。すなわち、通信クライアントとしての動作を解除し、その後、接続要求が来た場合に受容できるように通信の準備処理を行うように制御し、通信サーバとしての動作を開始する(Ｓ２０３-２)。
【００３０】
次に、Ｓ２１１において認証情報アクセス部１２が記録媒体１０にアクセス可能でなくなった場合に、従前の接続を切断し（Ｓ２１２）、接続要求に対する受容準備処理を解除する。すなわち、通信サーバとしての動作を解除する。その後、制御部１３は通信機器リスト１０１に記載の機器に対して接続要求を送信するように通信部１１を制御する。すなわち、通信クライアントとしての動作を開始する(Ｓ２１３-２)。
【００３１】
続いて、制御部１３は入力部１４から入力された秘密情報に基づいて認証要求を作成し、通信部１１を介して次に通信サーバとなる通信機器に送信するように制御する。その後、制御部１3は通信部１１が認証要求の照合結果を受信するように制御し、認証処理を実行する(Ｓ２１４)。
【００３２】
その後、Ｓ２０２へ戻り、制御部１３は記録媒体１０にアクセス可能になる状態を検出するのを待つ。
【００３３】
なお、その他の動作は実施例１と同じであるため説明を省略する。
【００３４】
以上説明した本実施例によれば、実施例１と同様の効果を得られるとともに、記録媒体１０へのアクセス可否の状態に基づいて、情報処理端末１が通信サーバとして接続要求に対する受容可否の切り替えを行い、さらに通信クライアントとして従前の接続の切断、及び、次に通信サーバとなる通信機器への接続要求処理を行い、認証処理を行うことができる。したがって、記録媒体１０の着脱により通信を再開することができ、さらにスムーズな端末切替を実現できる。
【実施例３】
【００３５】
本実施例では、情報処理端末１Ａと情報処理端末１Ｂの間で通信による認証処理を行っていた状態から、記録媒体１０の入替手続きを経て、情報処理端末１Ａと情報処理端末１Ｃの間で認証処理を行う状態に切り替える例について説明する。なお、実施例１の構成等と重複する構成等については、その説明を省略する。
【００３６】
図５は、３台の情報処理端末の間で、個人認証を行う情報処理端末を切り替える場合の例を示す図である。図５（１）は切替前、図５（２）は切替後の構成例を示す。
【００３７】
３台とも前述した情報処理端末１と同じ構成でよいが、本実施例では情報処理端末の区別を明確化するため、3台の情報処理端末をそれぞれ１Ａ、１Ｂ、１Ｃとして説明する。
【００３８】
まず、本実施例における３台の情報処理端末の役割を下記のように仮定する。
【００３９】
１台目の情報処理端末１Ａは、自身の認証情報アクセス部１２が記録媒体１０にアクセスできない状態が継続している。すなわち、この例においてはてクライアント端末としての動作を維持しているものとする。
【００４０】
２台目の情報処理端末１Ｂは、自身の認証情報アクセス部１２が記録媒体１０に最初はアクセスできる状態（図５（１））であり、ユーザによる切り替え要求に基づいてアクセスできない状態（図５（２））に移行するものとする。すなわち、この例においては当初は通信サーバとして動作し、ユーザ要求に基づいて通信クライアントに切り替わって動作するものとする。
【００４１】
３台目の情報処理端末１Ｃは、自身の認証情報アクセス部１２が記録媒体１０に最初はアクセスできない状態（図５（１））であるが、ユーザによる切り替え要求に基づいてアクセスできる状態（図５（２））に移行するものとする。すなわち、この例においては当初は通信クライアントとして動作し、ユーザ要求に基づいて通信サーバに切り替わって動作するものとする。
【００４２】
なお、上記の情報処理端末３台における記録媒体１０は、唯一の媒体である場合を想定して、記録媒体１０と表記を統一する。
【００４３】
図６は、図５に示した例における、３台の情報処理端末の間で個人認証を行う情報処理端末を切り替える処理シーケンスの一例を示した図である。この３者間のやりとりを示すシーケンス図は、ＵＭＬ(Ｕｎｉｆｉｅｄ  Ｍｏｄｅｌｉｎｇ  Ｌａｎｇｕａｇｅ)の記法に則って記述している。
【００４４】
まず、記録媒体１０は情報処理端末１Ｂに装着されている状態であり、情報処理端末１Ｂが通信サーバとして動作している。このとき、記録媒体１０が装着されていない情報処理端末１Ａは、認証情報アクセス部１２が記録媒体１０にアクセスできないため、通信クライアントとして動作する。また、情報処理端末１Ｃについても同様に通信クライアントとして動作する。情報処理端末１Ａ、１Ｃとも情報処理端末１Ｂとの通信はまだ確立されていない状態とする。
【００４５】
続いて、情報処理端末１Ａの制御部１３は、情報処理端末１Ｂの通信部１１に対して接続要求を送信するように情報処理端末１Ａの通信部１１を制御する(Ｓ５０１)。
【００４６】
情報処理端末１Ｂの制御部１３は、情報処理端末１Ｂの通信部１１が通信機器リスト１０１に記載の機器から接続要求を受信したことを検知すると、接続要求を受容する。続いて、認証要求が来ていないか検出する。情報処理端末１Ｂの制御部１３が認証要求を検出した場合には、情報処理端末１Ｂの制御部１３は情報処理端末１Ｂの認証情報アクセス部１２を介して記録媒体１０に格納されている認証用情報１０２との照合を行い、情報処理端末１Ｂの通信部１１を介して照合結果を返送するように制御する。そして、次に来る認証要求を待つ状態に移行する(Ｓ５０２)。
【００４７】
ただし、前述の認証要求の受信検出処理および照合処理、結果返送処理に関しては必須ではなく、前述の接続要求の受容処理によって情報処理端末１Ａと情報処理端末１Ｂの接続が確立された状態であればよい。
【００４８】
ここで、情報処理端末１Bに装着されている記録媒体１０を取り外し、情報処理端末１Ｃに装着して使うために、後述するＳ５０３以降Ｓ５１６までに示す処理を行う。
【００４９】
まず、新しく記録媒体１０を装着することになる情報処理端末１Ｃの入力部１４を用いて、ユーザは記録媒体１０の入替要求を入力する(Ｓ５０３)。
【００５０】
入替要求を検出した情報処理端末１Ｃの制御部１３は、情報処理端末１Ｃの通信部１１を介して情報処理端末１Ｂに接続要求を送信するように制御する(Ｓ５０４)。
【００５１】
情報処理端末１Ｂの制御部１３は、情報処理端末１Ｂの通信部１１が情報処理端末１Ｃからの接続要求を受信したことを検出すると、接続要求を受容し、通信接続を確立する(Ｓ５０５)。
【００５２】
なお、初めて情報処理端末１Ｃと情報処理端末１Ｂを接続する場合などは、情報処理端末１Ｃの機器情報は通信機器リスト１０１に記載されていなくともよい。これにより、事前に通信機器リストに記載するための機器登録手順を省略することで迅速に機器を接続できる。
【００５３】
情報処理端末１Ｃの制御部１３は、情報処理端末１Ｂとの接続が確立したことを検出すると、情報処理端末１Ｃの通信部１１を介して記録媒体１０の入替要求を送信するように制御する(Ｓ５０６)。
【００５４】
情報処理端末１Ｂの制御部１３は、情報処理端末１Ｂの通信部１１が入替要求を受信したことを検出すると、従前から接続していた情報処理端末１Ａの通信部１１に対して情報処理端末１Ｃを示す機器情報を送信するように、情報処理端末１Ｂの通信部１１を制御する(Ｓ５０７)。この機器情報とは、例えば、通信機器リスト１０１に記載される物理アドレスや機器名称等で構成される。
【００５５】
情報処理端末１Ａの制御部１３は、情報処理端末１Ａの通信部１１が次に接続すべき機器（この場合は情報処理端末１Ｃ）の機器情報を受信したことを検出すると、機器情報の受信成否と、記録媒体１０の抜取準備完了通知を情報処理端末１Ａの通信部１１によって返送するように制御する(Ｓ５０８)。
【００５６】
情報処理端末１Ｂの制御部１３は、情報処理端末１Ｂの通信部１１が機器情報の受信成功通知および抜取準備完了通知を受信したことを検出すると、情報処理端末１Ｂの出力部１５を用いて記録媒体１０の抜き取り（取り外し）を許可する旨の表示や出力を行うように制御し、ユーザは記録媒体１０を抜き取る(Ｓ５０９)。なお、ここでいう抜き取りとは、物理的なカード状の記録媒体の抜き取りのほか、記録媒体に格納されるデータを電気的に無効化、削除、移動する方法でもよい。
【００５７】
情報処理端末１Ｂの制御部１３は、記録媒体１０が情報処理端末１Ｂから抜かれたことを検出すると、情報処理端末１Ｃの通信部１１に対して記録媒体１０の抜取完了通知を送信するように制御する(Ｓ５１０)。
【００５８】
情報処理端末１Ｃの制御部１３は、情報処理端末１Ｃの通信部１１が抜取完了通知を受信したことを検出すると、情報処理端末１Ｂとの通信を切断するように制御する(Ｓ５１１)。
【００５９】
情報処理端末１Ｂの制御部１３は、情報処理端末１Ｂとの通信が切断されたことを検出すると、従前の情報処理端末１Ａとの通信も切断する(Ｓ５１２)。
【００６０】
続いて情報処理端末１Ｃの制御部１３は、情報処理端末１Ｃの出力部１５を介して記録媒体１０の装着をユーザに促す表示や出力を行うように制御する(Ｓ５１３)。
【００６１】
情報処理端末１Ｃの制御部１３は、認証情報アクセス部１２が記録媒体１０にアクセスできるか定期的に検出するように制御している。ここで、アクセス可能であることを検出すれば、従前の通信があればそれを切断するように制御する。すなわち、通信クライアントとしての動作を解除する。また、通信機器リスト１０１に記載の通信機器からの接続要求を受容する準備を行う(Ｓ５１４)。すなわち、通信サーバとして動作するようになる。
【００６２】
情報処理端末１Ａの制御部１３は、情報処理端末１Ｂとの通信が切断されたことを検出すると、Ｓ５０７で受信した機器情報で示される機器（この場合は情報処理端末１Ｃ）に対して、情報処理端末１Ａの通信部１１が接続要求を送信するように制御する(Ｓ５１５)。なお、Ｂｌｕｅｔｏｏｔｈ通信のように初めて接続要求を行う前に機器のペアリング認証処理を行う必要がある場合は、情報処理端末１Ａの制御部１３は、この事前のペアリング認証処理を接続要求の送信前に行うように情報処理端末１Ａの通信部１１を制御する。
【００６３】
情報処理端末１Ｃの制御部１３は、情報処理端末１Ｃの通信部１１が接続要求を受信したことを検出すると、これを受容して接続を確立するように制御し、情報処理端末１Ａからの要求に応じて認証処理等を行う(Ｓ５１６)。
【００６４】
以上のような手続きにより、記録媒体１０の入替手続きを終える。これ以降は、必要に応じてＳ５０２に記載したような認証要求処理や、さらなる入替手続きの実行により通信対象の機器の切り替えを行う。
【００６５】
以上説明した本実施例によれば、実施例１、２と同様の効果を得られるとともに、情報処理端末１Ａと情報処理端末１Ｂの間で通信による認証処理を行っていた状態から、記録媒体１０の入替手続きを経て、情報処理端末１Ａと情報処理端末１Ｃの間で認証処理を行う状態に切り替えることができる。したがって、記録媒体１０の着脱により通信を再開することができ、さらにスムーズな端末切替を実現できる。また、基本的に情報処理端末１Ｃからの操作だけで端末切替を行うことができるため、ユーザの使い勝手をさらに向上できる。
【実施例４】
【００６６】
本実施例では、情報処理端末１Ａと情報処理端末１Ｂの間で通信による認証処理を行っていた状態から、記録媒体１０の入替手続きを経て、情報処理端末１Ａと情報処理端末１Ｃの間で認証処理を行う状態に切り替える別の例について説明する。なお、実施例１の構成等と重複する構成等については、その説明を省略する。
【００６７】
図７は、本実施例における情報処理端末１の構成例である。図１に示した構成例とは、最新接続確立機器情報１０１１、その他機器情報１０１２を有する点で異なる。通信機器リスト１０１には、直前に接続が確立していた機器を最新接続確立機器情報１０１１として登録しておくことができる。また、その他機器情報１０１２として、直前に接続が確立していた機器以外の機器を登録しておくことができる。
【００６８】
図８は、３台の情報処理端末の間で個人認証を行う情報処理端末を切り替える場合の処理シーケンスの例を示す図である。なお、基本的な処理は実施例３とほぼ同じであるため、ここでは差異のみ述べる。
【００６９】
実施例３の図６に記載の処理シーケンスと異なる処理は、Ｓ５０７、Ｓ５０８、Ｓ５１４、Ｓ５１５であり、実施例３と明確に区別するため、本実施例における処理をそれぞれＳ５０７-２、Ｓ５０８-２、Ｓ５１４-２、Ｓ５１５-２として記載する。
【００７０】
Ｓ５０１乃至Ｓ５０６は実施例３の図６に記載の処理と同一の処理を行う。
【００７１】
Ｓ５０７-２において、情報処理端末１Ｂの制御部１３は、情報処理端末１Ｂの通信部１１が入替要求を受信したことを検出すると、情報処理端末１Ｃの通信部１１に対して、従前から接続していた情報処理端末１Ａに関する機器情報を送信するように、情報処理端末１Ｂの通信部１１を制御する。なお、機器情報の具体例は実施例３と同一である。もしくは、記録媒体１０がリムーバブル型である場合は、情報処理端末１Ｂの制御部１３は記録媒体１０の通信機器リスト１０１に含まれる最新接続確立機器情報１０１１として情報処理端末１Ａの機器情報を登録するように制御してもよい。
この最新接続確立機器情報１０１１の登録タイミングは、この入替要求を受信した後に限らず、実施例３におけるＳ４０１やＳ４０２において情報処理端末１Ａと情報処理端末１Ｂの間で接続が確立した直後のタイミングでもよい。この場合は、情報処理端末１Ｃからの入替要求の受信を契機とする必要はなく、記録媒体１０はいつでも情報処理端末１Ｂから抜き取りできる利点がある。
【００７２】
続いて、情報処理端末１Ｃの制御部１３は、情報処理端末１Ｃの通信部１１が次に接続すべき機器（この場合は情報処理端末１Ａ）の機器情報を受信したこと、または、最新接続確立機器情報１０１１として情報処理端末１Ａの機器情報が登録されたことを検出すると、機器情報の受信成否および記録媒体１０の抜取準備完了通知を、情報処理端末１Ｃの通信部１１から情報処理端末１Ｂに返送するように制御する(Ｓ５０８-２)。
【００７３】
Ｓ５０９からＳ５１３までは、実施例３に記載の処理と同一の処理を行う。
【００７４】
情報処理端末１Ｃの制御部１３は、認証情報アクセス部１２が記録媒体１０にアクセスできるか定期的に検出するように制御している。ここで、アクセス可能であることを検出すれば、従前の通信があればそれを切断するように制御する。すなわち、通信クライアントとしての動作を解除する。また、通信機器リスト１０１に記載の通信機器からの接続要求を受容する準備を行う(Ｓ５１４-２)。すなわち、通信サーバとして動作するようになる。
なお、Ｓ５０７-２において最新接続確立機器情報１０１１を用いていた場合は、Ｓ５１４-２において、情報処理端末１Ｃの制御部１３は、記録媒体１０の通信機器リスト１０１に含まれる最新接続確立機器情報１０１１にある情報処理端末１Ａに関する機器情報を取得し、次に接続する機器を確定する。
【００７５】
なお、情報処理端末１Ｃにおいて情報処理端末１Ａを特定できれば良いため、Ｓ５０７-２における情報処理端末１Ａの機器情報を送信する処理、または、情報処理端末１Ａの機器情報を登録する処理は、いずれかを行えば良い。情報処理端末１Ａの機器情報を送信する処理を行った場合は、Ｓ５１４-２で説明した最新接続確立機器情報１０１１にある情報処理端末１Ａに関する機器情報を取得する処理は不要となる。
【００７６】
Ｓ５１５-２において、情報処理端末１Ｃの制御部１３は、情報処理端末１Ｂとの通信が切断されたことを検出すると、Ｓ５０７-２もしくはＳ５１４-２で取得した機器情報で示される機器（この場合は情報処理端末１Ａ）に対して、情報処理端末１Ｃの通信部１１が逆接続要求を送信するように制御する。なお、Ｂｌｕｅｔｏｏｔｈ通信のように、初めて接続要求を行う前に機器のペアリング認証処理を行う必要がある場合には、この事前のペアリング認証処理をここに含めるのは実施例３と同じであるが、情報処理端末１Ａの制御部１３は、ペアリング認証処理が成功したことを検出した後に、情報処理端末１Ｃへの接続要求を送信するように、情報処理端末１Ａの通信部１１を制御する(Ｓ５１５-２)。
【００７７】
図９から図１１に示す画面は、実施例３または実施例４の出力部の表示や出力に基づく表示画面の一例である。
まず、図９(ａ)は、認証処理を行う情報処理端末の切替を要求する入力画面の一例であり、情報処理端末１Ｃの制御部１３が情報処理端末１Ｃの出力部１５でこの画面を表示または出力するように制御する。８０１は、この画面が表示されている情報処理端末にて認証処理を行うように切り替えることを確認させるためのボタン等であり、情報処理端末１Ｃの入力部１４によって確認意思を入力する。この入力を契機に図９(ｂ)へ遷移する。
【００７８】
図９(ｂ)は、情報処理端末の切替処理中であることを示す画面の一例であるが、この画面表示は必須ではない。
【００７９】
図１０(ａ)は、記録媒体１０を情報処理端末１Ｂから抜き取ることをユーザに促すための画面の一例である。情報処理端末１Ｂの制御部１３は情報処理端末１Ｂの認証情報アクセス部１２が記録媒体１０にアクセスできないことを検出した段階で、この画面を消去したり、図１０(ｂ)に示すような画面に遷移するように制御する。
【００８０】
図１０(ｂ)は、情報処理端末１Ｂから記録媒体１０の抜き取りが完了したことを示す画面の一例であるが、この画面は必須ではない。また、この画面は自動的に消去される一時的なダイアログとして表示すれば、ユーザによる入力確認作業を削減することができる。
【００８１】
図１１(ａ)は、記録媒体１０を情報処理端末１Ｃに装着することをユーザに促すための画面の一例である。情報処理端末１Ｃの制御部１３は情報処理端末１Ｃの認証情報アクセス部１２が記録媒体１０にアクセスできることを検出した段階で、この画面を消去したり、図１１(ｂ)に示すような画面に遷移するように制御する。
【００８２】
図１１(ｂ)は、認証処理を行う情報処理端末の切替が完了したことを示す画面の一例である。この画面は必須ではない。また、この画面は自動的に消去される一時的なダイアログとして表示すれば、ユーザによる入力確認作業を削減することができる。
【００８３】
以上説明した本実施例によれば、実施例１乃至３と同様の効果を得られるとともに、情報処理端末１Ａと情報処理端末１Ｂの間で通信による認証処理を行っていた状態から、記録媒体１０の入替手続きを経て、情報処理端末１Ａと情報処理端末１Ｃの間で認証処理を行う状態に切り替えることができる。したがって、記録媒体１０の着脱により通信を再開することができ、さらにスムーズな端末切替を実現できる。また、基本的に情報処理端末１Ｃからの操作だけで端末切替を行うことができるため、ユーザの使い勝手をさらに向上できる。
【００８４】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。例えば、実施例１乃至実施例３の構成において通信機器リスト１０１に最新接続確立機器情報１０１１や、その他機器情報１０１２を含ませても良い。
【００８５】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等、または、ＩＣカード、ＳＤカード、ＤＶＤ等に置くことができる。
【００８６】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００８７】
１…情報処理端末
10…記録媒体
11…通信部
12…認証情報アクセス部
13…制御部
14…入力部
15…出力部
101…通信機器リスト
1011…最新接続確立機器情報
102…認証用情報
【図１】
2014107704.tif 000003
【図２】
2014107704.tif 000004
【図３】
2014107704.tif 000005
【図４】
2014107704.tif 000006
【図５】
2014107704.tif 000007
【図６】
2014107704.tif 000008
【図７】
2014107704.tif 000009
【図８】
2014107704.tif 000010
【図９】
2014107704.tif 000011
【図１０】
2014107704.tif 000012
【図１１】
2014107704.tif 000013